(57)【要約】【課題】地震の誤検知を防止しつつ、不要な地震時管制運転が行われることを防止することができる。【解決手段】エレベータの設置された建築物に設けられ、建築物の揺れを検知した場合に、地震検知情報を出力する地震感知器１と、地震感知器１の故障を検出する故障検出部６と、地震感知器１の故障が検出された場合に、地震感知器１に、地震感知器１故障検出直前の地震検知情報の出力状態を保持させる出力制御部８と、地震検知情報の入力時は、エレベータに地震時管制運転を行わせ、地震感知器１の故障の非検出時に、地震感知器１が検知した建築物の揺れが予め設定された大きさ以下であった場合は、地震感知器１をリセットするエレベータ制御装置とを備えた。【選択図】図１
2010222139.tif 000002
【特許請求の範囲】
【請求項１】
エレベータの設置された建築物に設けられ、前記建築物の揺れを検知した場合に、地震検知情報を出力する地震感知器と、
前記地震感知器の故障を検出する故障検出部と、
前記地震感知器の故障が検出された場合に、前記地震感知器に、前記地震感知器故障検出直前の地震検知情報の出力状態を保持させる出力制御部と、
前記地震検知情報の入力時は、前記エレベータに地震時管制運転を行わせ、前記地震感知器の故障の非検出時に、前記地震感知器が検知した前記建築物の揺れが予め設定された大きさ以下であった場合は、前記地震感知器をリセットするエレベータ制御装置と、
を備えたことを特徴とするエレベータの運転装置。
【請求項２】
前記エレベータ制御装置は、
前記地震感知器の故障が検出された場合は、前記故障検出部に前記地震感知器の故障リセット指令を出力し、
前記故障リセット指令の入力された前記故障検出部が、前記地震感知器の故障の検出を維持したときに、前記地震感知器が故障していると判定することを特徴とする請求項１記載のエレベータの運転装置。
【請求項３】
前記地震感知器の地震検知情報の出力部とは別に設けられ、前記地震感知器の故障検出時に、故障検出情報を出力する感知器故障検出部、
を備え、
前記エレベータ制御装置は、前記故障検出情報の入力時に、前記地震検知情報が未入力の場合は、前記エレベータに前記地震時管制運転とは異なる感知器故障時運転を行わせることを特徴とする請求項１又は請求項２に記載のエレベータの運転装置。
【請求項４】
前記故障検出部は、前記地震感知器へ電力を供給する電源の電圧低下故障を検出し、
前記出力制御部は、前記地震感知器に、前記故障検出情報を、前記供給電圧低下故障の検出時に閉状態となる非ラッチ形かつノーマリークローズ形のリレー接点から出力させ、前記供給電圧低下故障の非検出時に、前記電源の電力を利用して、前記リレー接点を動作させて開状態とすることを特徴とする請求項１〜請求項３のいずれかに記載のエレベータの運転装置。
【請求項５】
前記故障検出部は、前記地震感知器の故障検知時に、バッテリにより前記地震感知器へバックアップ給電を行うときの供給電力が前記地震感知器の故障の非検知時よりも小さくなるように、前記地震感知器の動作モードを通常の動作モードよりも消費電力の小さい動作停止モードに切り換えることを特徴とする請求項１〜請求項４のいずれかに記載のエレベータの運転装置。
【請求項６】
前記故障検出部は、前記バッテリが前記地震感知器に行うバックアップ給電の供給電圧と予め設定された閾値電圧とを比較し、前記供給電圧が前記閾値電圧よりも低い場合を、前記地震感知器の故障として検出することを特徴とする請求項５記載のエレベータの運転装置。
【発明の詳細な説明】
【技術分野】
【０００１】
この発明は、エレベータに地震時管制運転を行わせるエレベータの運転装置に関するものである。
【背景技術】
【０００２】
一般に、エレベータの運転装置は、エレベータ制御盤と地震感知器とを備える。そして、地震感知器は、接点出力の点数削減のため、特低地震検知と感知器故障検出との接点出力を兼用している場合が多い。かかる構成のエレベータの運転装置においては、エレベータ制御盤から特低地震検知リセット指令を所定回数出力したときの地震感知器の応答有無（特低地震検知の出力状態）によって、特低地震動の検知と地震感知器の故障の検出とを判別している。これにより、地振動の誤検知が防止される（例えば、特許文献１参照）。
【先行技術文献】
【特許文献】
【０００３】
【特許文献１】特開２００３−１６５６７９号公報
【発明の概要】
【発明が解決しようとする課題】
【０００４】
しかし、特許文献１記載のものは、特低地震の検知情報を受信した直後は、地震感知器の故障の検知状態を考慮せず、エレベータに地震時管制運転を行わせる。このため、実際には地震が発生していない場合でも、かご内の地震管制灯の点灯等が行われ、エレベータの乗客に、不要な不安を抱かせるという問題があった。
【０００５】
この発明は、上述のような課題を解決するためになされたもので、その目的は、地震の誤検知を防止しつつ、不要な地震時管制運転が行われることを防止することができるエレベータの運転装置を提供することである。
【課題を解決するための手段】
【０００６】
この発明に係るエレベータの運転装置は、エレベータの設置された建築物に設けられ、前記建築物の揺れを検知した場合に、地震検知情報を出力する地震感知器と、前記地震感知器の故障を検出する故障検出部と、前記地震感知器の故障が検出された場合に、前記地震感知器に、前記地震感知器故障検出直前の地震検知情報の出力状態を保持させる出力制御部と、前記地震検知情報の入力時は、前記エレベータに地震時管制運転を行わせ、前記地震感知器の故障の非検出時に、前記地震感知器が検知した前記建築物の揺れが予め設定された大きさ以下であった場合は、前記地震感知器をリセットするエレベータ制御装置とを備えたものである。
【発明の効果】
【０００７】
この発明によれば、地震の誤検知を防止しつつ、不要な地震時管制運転が行われることを防止することができる。
【図面の簡単な説明】
【０００８】
【図１】この発明の実施の形態１におけるエレベータの運転装置の構成を示すブロック図である。
【図２】この発明の実施の形態１におけるエレベータの運転装置に利用される地震感知器の内部ブロック図である。
【図３】この発明の実施の形態１におけるエレベータの運転装置に利用される地震感知器の故障検出ロジック図である。
【図４】この発明の実施の形態１におけるエレベータの運転装置の動作を説明するためのフローチャートである。
【図５】この発明の実施の形態２におけるエレベータの運転装置の構成を示すブロック図である。
【図６】この発明の実施の形態２におけるエレベータの運転装置の動作を説明するためのフローチャートである。
【発明を実施するための形態】
【０００９】
この発明を実施するための形態について添付の図面に従って説明する。なお、各図中、同一又は相当する部分には同一の符号を付しており、その重複説明は適宜に簡略化ないし省略する。
【００１０】
実施の形態１．
一般に、エレベータは、複数階を有する建築物に設けられる。このエレベータの昇降路は、建築物の各階間を繋ぐ空間部からなる。この昇降路近傍の各階床には、エレベータの乗場が設けられる。一方、昇降路内には、エレベータのかごが設けられる。かかる構成のエレベータの運転動作は、エレベータ制御装置に制御される。そして、エレベータ制御装置には、地震感知器が接続される。この地震感知器は、エレベータの設置された建築物に設けられる。この地震感知器は、加速度センサを備える。この加速度センサは、地震感知器にかかる加速度を建築物の揺れとして検知する。
【００１１】
かかる構成のエレベータ運転装置においては、地震感知器は、建築物の揺れを検知した場合に、地震検知情報を出力する。この地震検知情報は、エレベータ制御装置に入力される。エレベータ制御装置は、地震検知情報が入力された場合に、エレベータに、地震時管制運転を行わせる。これにより、かご内の乗客を、最寄階へ避難させることができる。以下、本実施の形態におけるエレベータの運転装置をより詳細に説明する。
【００１２】
図１はこの発明の実施の形態１におけるエレベータの運転装置の構成を示すブロック図である。
図１において、１は地震感知器である。この地震感知器１は、特低地震検知出力部２、低地震検知出力部３、高地震検知出力部４、特低地震検知リセット入力部５を備える。特低地震検知出力部２は、地震感知器１が特低地震を検知した場合に、特低地震検知情報を保持出力する機能を備える。低地震検知出力部３は、地震感知器１が低地震を検知した場合に、低地震検知情報を保持出力する機能を備える。高地震検知出力部４は、地震感知器１が高地震を検知した場合に、高地震検知情報を保持出力する機能を備える。特低地震検知リセット入力部５は、特低地震検知リセット信号が入力される機能を備える。そして、地震感知器１は、特低地震検知リセット信号が特低地震検知リセット入力部５に入力された場合に、リセットされる構成となっている。
【００１３】
さらに、本実施の形態においては、地震感知器１は、故障検出部６、感知器故障出力部７、出力制御部８を備える。故障検出部６は、地震感知器１の故障を検出する機能を備える。感知器故障出力部７は、特低地震検知出力部２、低地震検知出力部３、高地震検知出力部４とは別に設けられる。この感知器故障出力部７は、故障検出部６が地震感知器１の故障を検出した場合に、故障検出情報を出力する機能を備える。出力制御部８は、故障検出部６が地震感知器１の故障を検出した場合に、特低地震検知出力部２、低地震検知出力部３及び高地震検知出力４に、地震感知器１故障検出直前の地震検知情報の出力状態を保持させる機能を備える。
【００１４】
９はエレベータ制御盤である。このエレベータ制御盤９は、エレベータ制御装置として、エレベータ全体の制御を行う機能を備える。そして、エレベータ制御盤９は、特低地震検知入力部１０、低地震検知入力部１１、高地震検知入力部１２、特低地震検知リセット出力部１３を備える。特低地震検知入力部１０は、特低地震検知出力部２に保持出力された特低地震検知情報が入力される機能を備える。低地震検知入力部１１は、低地震検知出力部３に保持出力された低地震検知情報が入力される機能を備える。高地震検知入力部１２は、高地震検知出力部４に保持出力された高地震検知情報が入力される機能を備える。そして、エレベータ制御盤９は、特低地震検知入力部１０、低地震検知入力部１１、高地震検知入力部１２の入力状況に対応し、地震規模に応じた地震時管制運転を行うとともに、かご内の地震管制灯を点灯させる。また、特低地震検知リセット出力部１３は、特低地震検知リセット入力部５へ特低地震検知リセット信号を出力する機能を備える。
【００１５】
さらに、エレベータ制御盤９は、感知器故障入力部１４、感知器故障判定装置１５、感知器故障時外部通報装置１６、感知器故障時運転指令装置１７を備える。感知器故障入力部１４は、感知器故障出力部７に出力された故障検知情報が入力される機能を備える。感知器故障判定装置１５は、特低地震検知入力部１０に出力された特低地震検知情報が入力されるとともに、感知器故障入力部１４に出力された故障検出情報が入力される機能を備える。また、感知器故障判定装置１５は、故障検出情報が入力された場合に、故障検知情報を感知器故障時外部通報装置１６に通報する機能を備える。感知器故障時外部通報装置１６は、故障検出情報が入力された場合に、監視盤１８等に通報する機能を備える。この監視盤１８は、エレベータとは離れて配置された管理人室、保守会社等に設けられる。これにより、管理人室や保守会社にいる者は、地震感知器１の故障を確認することができる。
【００１６】
さらに、感知器故障判定装置１５は、特低地震検知情報と故障検出情報との双方が同時に入力される場合は、特低地震検知情報を優先させる機能を備える。これにより、エレベータ制御盤９は、エレベータに、地震時管制運転を行わせる。加えて、感知器故障判定装置１５は、故障検出情報の未入力時に、地震感知器１が検知した建築物の揺れが予め設定された大きさ以下であった場合は、特低地震検知リセット出力部１３に、特低地震検知リセット信号させる機能を備える。また、感知器故障判定装置１５は、特低地震検知情報の未入力時に、故障検出情報が入力された場合は、感知時指令を感知器故障時運転指令装置１７に出力する機能を備える。感知器故障時運転指令装置１７は、故障検出情報が入力された場合に、エレベータに、地震時管制運転とは異なる感知器故障運転等を行わせる機能を備える。変形例として、特低地震検知リセットを低／高地震検知リセットのいずれか、または全てと兼用しても良い。
【００１７】
次に、図２を用いて、地震感知器１の具体的構成をより詳細に説明する。
図２はこの発明の実施の形態１におけるエレベータの運転装置に利用される地震感知器の内部ブロック図である。
図２において、１９は電源電圧監視回路である。この電源電圧監視回路１９は、地震感知器１への供給電圧の過電圧や電圧低下を監視する機能を備える。２０はＨ／Ｗ監視回路である。このＨ／Ｗ監視回路２０は、発振回路異常やリレー回路異常等を監視する機能を備える。２１はＳ／Ｗ監視回路である。このＳ／Ｗ監視回路２１は、Ｓ／Ｗ暴走を監視する機能を備える。２２は加速度センサである。この加速度センサ２２は、地震感知器１にかかる加速度を検出する機能を備える。
【００１８】
２３はバッテリ電圧検出回路である。このバッテリ電圧検出回路２３は、地震感知器１へバックアップ給電を行うバッテリの供給電圧を検出する機能を備える。２４はＣＰＵである。このＣＰＵ２４は、図１の特低地震検知出力部２、低地震検知出力部３、高地震検知出力部４、特低地震検知リセット入力部５、故障検出部６を備える。さらに、ＣＰＵ２４は、外部リセット入力部２５、電源電圧異常入力部２６、Ｈ／Ｗ異常入力部２７、Ｓ／Ｗ異常入力部２８、加速度信号処理部２９、地震検知判定処理部３０、センサ故障異常判定部３１、バッテリ電圧入力部３２、バッテリ電圧判定処理部３３、故障表示出力部３４を備える。
【００１９】
外部リセット入力部２５は、電源電圧監視回路１９からのリセット信号とエレベータ制御盤９からの感知器故障復帰リセット信号とが入力される機能を備える。ＣＰＵ２４は、これらのリセット信号のＯＲ条件で地震感知器１の故障検出をリセットする。電源電圧異常入力部２６は、電源電圧監視回路１９から電圧故障情報が入力される機能を備える。Ｈ／Ｗ異常入力部２７は、Ｈ／Ｗ監視回路２０からＨ／Ｗ故障情報が入力される機能を備える。Ｓ／Ｗ異常入力部２８は、Ｓ／Ｗ監視回路２１からＳ／Ｗ故障情報が入力される機能を備える。加速度信号処理部２９は、加速度センサ２２から加速度情報が入力される機能を備える。
【００２０】
地震検知判定処理部３０は、加速度信号処理部２９で処理された加速度情報に基づいて、地震規模等の地震検知判定を行う機能を備える。センサ故障異常判定部３１は、加速度信号処理部２９で処理された加速度情報に基づいて、加速度センサ２２の故障判定を行う機能を備える。バッテリ電圧入力部３２は、バッテリ電圧検出回路２３から、地震感知器１にバックアップ給電を行うバッテリの供給電圧値が入力される機能を備える。バッテリ電圧判定処理部３３は、入力された供給電圧値と予め設定された閾値電圧とを比較し、供給電圧値が閾値電圧よりも低い場合を、バッテリ電圧故障と判定する機能を備える。故障表示出力部３４は、ＬＥＤ等からなり、発光機能を備える。
【００２１】
さらに、地震感知器１は、エレベータ制御盤９との接続部として、特低地震検知出力用リレー接点３５、低地震検知出力用リレー接点３６、高地震検知出力用リレー接点３７、特低地震検知リセット入力用リレー接点３８、感知器故障出力用リレー接点３９、外部リセット入力用リレー４０を備える。これらのリレー接点３５〜４０は、地震感知器１に電力供給する電源の電力を利用して、動作する。ここで、特低地震検知出力用リレー接点３５、低地震検知出力用リレー接点３６、高地震検知出力用リレー接点３７は、ラッチ形かつノーマリーオープン形となっている。これらのリレー接点３５〜３７は、地震未検知時は、リレーＯＦＦで、地震検知時は、リレーＯＮの状態で保持される。そして、特低地震検知後の自動復帰方法としては、エレベータ制御盤９から特低地震検知リセット信号がＣＰＵ２４に入力されることで、特低地震検知出力用リレー３５がラッチ解除される。
【００２２】
一方、感知器故障出力用リレー接点３９は、メカニカルリレーやフォトＭＯＳリレー等の非ラッチ形かつノーマリークローズ形となっている。この感知器故障出力用リレー接点３９は、地震感知器１の故障の非検出時に、リレーＯＮで、開状態となる。感知器故障出力用リレー接点３９は、地震感知器１の故障の検出時に、リレーＯＦＦで、閉状態となる。かかる構成の地震感知器１においては、ＣＰＵ２４が図１の故障検出部６として機能する。即ち、ＣＰＵ２４は、各種故障モードに対応した故障ロジック処理を行う。そして、感知器の故障と判定された場合は、感知器故障出力部７、故障表示出力部３４からの出力に判定結果が反映される。
【００２３】
次に、図３を用いて、ＣＰＵ２４の地震感知器１の故障検出ロジックをより詳細に説明する。
図３はこの発明の実施の形態１におけるエレベータの運転装置に利用される地震感知器の故障検出ロジック図である。
図３において、点線枠は、外部信号入出力部である。一方、実線枠は、ＣＰＵ２４内部の処理部である。ここで、特低地震検知部４１、低地震検知部４２、高地震検知部４３は、地震検知判定処理部３０内に組み込まれている。まず、電源電圧異常、センサ故障異常、Ｈ／Ｗ異常、Ｓ／Ｗ異常のＯＲ条件によって、ラッチ回路がセットされる。このラッチ回路は、外部リセット入力によりリセットされる機能を備える。
【００２４】
そして、このラッチ回路がセットされたとき、感知故障出力部７、故障表示出力部３４、ＣＰＵ動作停止部４４が有効となる。そして、ＣＰＵ動作停止部４４が動作することにより、地震感知器１の動作モードが、スリープモード、スタンバイモード等の通常モードよりも消費電力の小さい動作停止モードとなる。また、バッテリ電圧入力部３２からバッテリ電圧判定処理部３３において、バッテリの供給電圧（Ｖｂａｔ）が予め設定された閾値電圧（Ｖｃｎｔ）よりも低い場合も、ＣＰＵ動作停止モードが有効となる。さらに、これらと同時に、特低地震検知部４１、低地震検知部４２、高地震検知部４３の地震検知は、無効になる。これにより、地震検知情報の出力状態は、地震感知器１の故障検出直前の状態で保持される。即ち、ＣＰＵ２４は、図１の出力制御部８として機能する。
【００２５】
最後に、図４を用いて、エレベータの運転装置の動作を説明する。
図４はこの発明の実施の形態１におけるエレベータの運転装置の動作を説明するためのフローチャートである。
まず、ステップＳ１で、エレベータの平常運転中、即ち、地震規模が所定の特低地震検知設定レベル未満の状態において、エレベータ制御盤９により、感知器１の故障検出情報が入力されたか否かが判定される。そして、感知器１の故障検出情報がエレベータ制御盤９に入力されている場合は、ステップＳ２に進み、地震感知器１の故障検出情報が管理人室に表示・報知されるとともに、保守会社へ通報され、動作が終了する。
【００２６】
一方、ステップＳ１で、感知器１の故障検出情報がエレベータ制御盤９に入力されていない場合は、ステップＳ３に進む。ステップＳ３では、エレベータ制御盤９により、特低地震検知情報が入力されたか否かが判定される。そして、エレベータ制御盤９に、特低地震検知情報が入力されていない場合は、ステップＳ４に進み、平常運転が継続される。
【００２７】
一方、ステップＳ３で、エレベータ制御盤９に、特低地震検知情報が入力されている場合は、ステップＳ５に進む。ステップＳ５では、エレベータ制御盤９が、かご内の地震管制灯を点灯させ、ステップＳ６に進む。ステップＳ６では、エレベータ制御盤９により、その後の地震動の成長があるか否かが判定される。具体的には、エレベータ制御盤９により、低地震検知情報が入力されたか否かが判定される。そして、エレベータ制御盤９に、低地震検知情報が入力されている場合は、ステップＳ７に進む。ステップＳ７では、地震時管制運転が行われ、動作が終了する。
【００２８】
一方、ステップＳ６で、エレベータ制御盤９に、低地震検知情報が入力されていない場合であっても、ステップＳ８に進み、地震時管制運転が行われる。その後、ステップＳ９以降で、特低地震検知の保持状態を自動解除するか否かが判定される。具体的には、まず、ステップＳ９で、エレベータ制御盤９により、特低地震検知情報が入力されてから、１分が経過したか否かが判定される。そして、特低地震検知情報が入力されてから、１分が経過した場合は、ステップＳ１０に進み、エレベータ制御盤９が、特低地震検知リセット信号を所定時間出力する。
【００２９】
その後、ステップＳ１１に進み、エレベータ制御盤９により、特低地震検知情報が入力解除されたか否かが判断される。そして、特低地震検知情報が入力解除されている場合は、ステップＳ１２に進み、エレベータ制御盤９が、地震時管制運転灯を消灯させ、動作が終了する。一方、ステップＳ１１で、特低地震検知情報が入力解除されていない場合は、ステップＳ１に戻り、上記動作が繰り返される。
【００３０】
以上で説明した実施の形態１によれば、地震感知器１の故障が検出された場合に、出力制御部８が、地震感知器１に、故障検出直前の地震検知情報の出力状態を保持させる。また、エレベータ制御盤９が、地震検知情報の入力時に、エレベータに地震時管制運転を行わせ、地震感知器１の故障の非検出時に、地震感知器１が検知した前記建築物の揺れが予め設定された大きさ以下であった場合は、地震感知器１をリセットする。このため、地震の誤検知を防止しつつ、不要な地震時管制運転を行うことを防止することができる。また、かかるエレベータの運転装置は、特別な装置を追加する必要がない。このため、上記効果を得るために、エレベータの運転装置を大きくする必要はない。
【００３１】
さらに、エレベータ制御装置は、故障検出情報の入力時に、地震検知情報が未入力の場合は、エレベータに地震時管制運転とは異なる感知器故障時運転を行わせる。このため、地震検知と地震感知の故障との判別を明確にすることができ、適切なエレベータの運転を行うことができる。即ち、ラッチ形の特低地震検知出力用リレー接点３５がオープン故障する事象に対しても、地震感知器１の故障検出情報は、エレベータ制御装置に入力される。このため、地震が発生した場合に、エレベータが平常運転するといった不安全動作には至らない。
【００３２】
さらに、出力制御部８は、地震感知器１に、故障検出情報を、供給電圧低下故障の検出時に閉状態となる非ラッチ形かつノーマリークローズ形の感知器故障出力用リレー接点３９から出力させ、供給電圧低下故障の非検出時に、電源の電力を利用して、感知器故障出力用リレー接点３９を動作させて開状態とする。このため、地震感知器１の急峻な電圧低下があっても、リレー駆動回路の動作保障電圧を下回る不安定な領域で、ラッチ指令動作を行う必要がない。即ち、電源電圧監視回路１９の時定数により電源電圧異常を検出するまでに所定の検出遅れ時間が発生する場合であっても、確実に地震感知器１の故障を検出することができる。
【００３３】
加えて、故障検出部６は、地震感知器１の故障検知時に、バッテリにより地震感知器１へバックアップ給電を行うときの供給電圧が地震感知器１の故障の非検知時よりも小さくなるように、地震感知器１の動作モードを通常の動作モードよりも消費電力の小さい動作停止モードに切り換える。このため、主電源からの給電が長期間停止するような据付作業現場において、バッテリ容量を不必要に消費し続けることがない。即ち、地震感知器１の電圧低下異常を招く要因を減らすことができる。これにより、地震時管制運転において、乗客の安全を確保する重要機器として機能する地震感知器１の動作が確保される。より具体的には、故障検出部６は、バッテリが地震感知器１に行うバックアップ給電の供給電圧と予め設定された閾値電圧とを比較し、供給電圧が前記閾値電圧よりも低い場合を、地震感知器１の故障として検出する。このため、より直接的にバッテリ容量の無駄な消費を抑えることができる。
【００３４】
実施の形態２．
図５はこの発明の実施の形態２におけるエレベータの運転装置の構成を示すブロック図である。なお、実施の形態１と同一又は相当部分には同一符号を付して説明を省略する。
実施の形態２においては、エレベータの運転装置は、地震感知器１が故障した場合の故障リセット機能を備える。具体的には、実施の形態２における地震感知器１には、感知器故障リセット入力部４５が付加されている。また、実施の形態２におけるエレベータ制御盤９には、感知器故障リセット出力部４６が付加されている。
【００３５】
かかる構成のエレベータの運転装置においては、エレベータ制御盤９は、地震感知器１の故障検出情報が入力された場合に、感知器故障リセット出力部４６から感知器故障リセット信号を出力する。この感知器故障リセット信号は、地震感知器１の感知器故障リセット入力部４５に入力される。この感知器故障リセット信号が入力された地震感知器１は、故障検出部６に、故障検出をリトライさせる。そして、エレベータ制御盤９は、地震感知器１の故障検出部６のリトライ結果に基づいて、地震感知器１の故障を判定する。変形例として、感知器故障リセットを特低／低／高地震検知リセットのいずれか、または全てと兼用しても良い。
【００３６】
次に、図６を用いて、実施の形態２におけるエレベータの運転装置の動作を説明する。
図６はこの発明の実施の形態２におけるエレベータの運転装置の動作を説明するためのフローチャートである。
実施の形態２においては、地震感知器１の故障判定処理が、実施の形態１と異なる。平常運転処理、地震時管制運転処理は、実施の形態１と同様である。従って、ここでは、地震故障判定処理の動作を説明する。
【００３７】
まず、ステップＳ２１では、エレベータの平常運転中、即ち、地震規模が所定の特低地震検知設定レベル未満の状態において、エレベータ制御盤９により、感知器１の故障検出情報が入力されたか否かが判定される。そして、感知器１の故障検出情報がエレベータ制御盤９に入力されている場合は、ステップＳ２２に進み、エレベータ制御盤９が、感知器故障リセット信号を所定回出力する。その後、ステップＳ２３に進み、エレベータ制御盤９により、感知器１の故障検出情報が入力解除されたか否かが判定される。そして、感知器１の故障検出情報が入力解除されていない場合、即ち、地震感知器１の故障の検出が維持されている場合は、エレベータ制御盤９は地震感知器１が故障していると判定し、ステップＳ２４に進む。ステップＳ２４では、地震感知器１の故障検出情報が管理人室に表示・報知されるとともに、保守会社へ通報され、動作が終了する。
【００３８】
一方、ステップＳ２３で、地震感知器１の故障検出情報が入力解除されている場合は、ステップＳ２５に進み、エレベータ制御盤９により、特低地震検知情報が入力されたか否かが判定される。その後は、実施の形態１の図４におけるステップＳ３以降の平常運転処理、地震時管制運転処理と同様の動作が行われる。
【００３９】
以上で説明した実施の形態２によれば、エレベータ制御盤９は、感知器故障リセット信号を出力しても、地震感知器１の故障の検出が維持されている場合に、地震感知器１が故障していると判定する。このため、地震感知器１において、故障検出のリトライで復帰し得る程度の一過性で軽微な故障と復帰困難で致命的な故障とを判別できる。即ち、地震感知器１の故障判定に関する信頼性を向上することができる。
【符号の説明】
【００４０】
１  地震感知器、  ６  故障検出部、  ７  感知器故障出力部、  ８  出力制御部、  
９  エレベータ制御盤
【図１】
2010222139.tif 000003
【図２】
2010222139.tif 000004
【図３】
2010222139.tif 000005
【図４】
2010222139.tif 000006
【図５】
2010222139.tif 000007
【図６】
2010222139.tif 000008